(57)【要約】【課題】周波数リソースの利用効率の観点で効果的な中継の仕組みを実現する。【解決手段】周波数分割複信方式で運用される無線通信システムに割当てられた周波数リソースのうち、トラフィックを中継するために利用することを許可される中継向けリソースを特定する許可情報を、前記無線通信システムの基地局から受信する通信部と、前記許可情報に関連付られる期間において、前記中継向けリソース上で時間分割複信方式で前記トラフィックを中継する中継制御部と、を備える通信制御装置を提供する。【選択図】図８
2014027496.tif 000002
【特許請求の範囲】
【請求項１】
周波数分割複信方式で運用される無線通信システムに割当てられた周波数リソースのうち、トラフィックを中継するために利用することを許可される中継向けリソースを特定する許可情報を、前記無線通信システムの基地局から受信する通信部と、
前記許可情報に関連付られる期間において、前記中継向けリソース上で時間分割複信方式で前記トラフィックを中継する中継制御部と、
を備える通信制御装置。
【請求項２】
前記中継向けリソースは、前記無線通信システムのアップリンクリソースに含まれる、請求項１に記載の通信制御装置。
【請求項３】
前記無線通信システムは、複数のコンポーネントキャリアを用いて運用されるシステムであり、
前記許可情報は、前記中継向けリソースをコンポーネントキャリア単位で特定する、
請求項１に記載の通信制御装置。
【請求項４】
前記通信部は、前記無線通信システムのダウンリンクリソース上でスケジューリング情報又はシステム情報の一部として前記許可情報を受信する、請求項１に記載の通信制御装置。
【請求項５】
前記通信部は、前記許可情報を復号する装置のために共通的に定義される識別情報を用いて、前記許可情報を逆スクランブルする、請求項１に記載の通信制御装置。
【請求項６】
前記中継制御部は、前記トラフィックを中継するためのフレームタイミングを前記無線通信システムのフレームタイミングと同期させる、請求項１に記載の通信制御装置。
【請求項７】
前記通信制御装置は、前記無線通信システムに接続するユーザ端末である、請求項１に記載の通信制御装置。
【請求項８】
無線通信システムに割当てられた周波数リソース上で、周波数分割複信方式で前記無線通信システムを運用する通信制御部と、
前記周波数リソースのうちトラフィックを中継するために利用することを許可する中継向けリソースを決定し、中継を許可する期間に関連付けられる許可情報を生成する中継制御部と、
生成された前記許可情報を送信する通信部と、
を備える通信制御装置。
【請求項９】
前記中継向けリソースは、前記無線通信システムのアップリンクリソースに含まれる、請求項８に記載の通信制御装置。
【請求項１０】
前記通信制御部は、複数のコンポーネントキャリアを用いて前記無線通信システムを運用し、
前記中継制御部は、前記中継向けリソースをコンポーネントキャリア単位で決定する、
請求項８に記載の通信制御装置。
【請求項１１】
前記通信部は、ダウンリンクリソース上でスケジューリング情報又はシステム情報の一部として前記許可情報をブロードキャストする、請求項８に記載の通信制御装置。
【請求項１２】
前記中継制御部は、前記無線通信システムのセル間で通知されるセル間干渉制御用の標識に基づいて隣接セルへ干渉を与えるリスクがより低いと判定されるリソースを、前記中継向けリソースとして決定する、請求項８に記載の通信制御装置。
【請求項１３】
前記標識は、ＲＮＴＰＩ（Relative  Narrow  band  TX  Power  Indicator）、ＨＩＩ（High  Interference  Indicator）及びＯＩ（Overload  Indicator）のうち少なくとも１つを含む、請求項１２に記載の通信制御装置。
【請求項１４】
前記中継制御部は、第１のセルについて許可された前記中継向けリソースにおいて前記第１のセルに隣接する第２のセルとの干渉が抑制されるように、セル間干渉制御用の標識を前記第２のセルの基地局へ通知する、請求項８に記載の通信制御装置。
【請求項１５】
前記通信部は、前記許可情報を復号する装置のために共通的に定義される識別情報を用いて、前記許可情報をスクランブルする、請求項８に記載の通信制御装置。
【請求項１６】
周波数分割複信方式で運用される無線通信システムに割当てられた周波数リソースのうち、トラフィックを中継するために利用することを許可される中継向けリソースを特定する許可情報を、前記無線通信システムの基地局から受信することと、
前記許可情報に関連付られる期間において、前記中継向けリソース上で時間分割複信方式で前記トラフィックを中継することと、
を含む通信制御方法。
【請求項１７】
無線通信システムに割当てられた周波数リソース上で、周波数分割複信方式で前記無線通信システムを運用することと、
前記周波数リソースのうちトラフィックを中継するために利用することを許可する中継向けリソースを決定することと、
前記中継向けリソースを特定する許可情報であって、中継を許可する期間に関連付けられる当該許可情報を生成することと、
生成された前記許可情報を前記トラフィックを中継する装置へ送信することと、
を含む通信制御方法。
【発明の詳細な説明】
【技術分野】
【０００１】
本開示は、通信制御装置及び通信制御方法に関する。
【背景技術】
【０００２】
近年のデータトラフィックの急増を原因として、無線通信技術は周波数リソースの枯渇化という問題に直面している。周波数リソースを効率的に使用するための主な対策の一例は、中継局の導入である。中継局は、セルの内部又は近傍の電波の弱い地点（例えば、建物の陰、屋内又はセルエッジ付近など）に位置する端末のためにトラフィックを中継する。無線通信システムに割当てられた周波数リソースを中継局が中継のために再利用することにより、周波数リソースの利用効率は向上し得る。【０００３】
下記特許文献１には、基地局により決定されるスケジュールに従って中継局がトラフィックを中継する技術が記載されている。
【先行技術文献】
【特許文献】
【０００４】
【特許文献１】特開２０１１−７７９８７号公報
【発明の概要】
【発明が解決しようとする課題】
【０００５】
しかしながら、基地局と端末との間に中継局が介在する状況下では、基地局は端末の状況（位置、能力及び通信品質など）を直接的に把握することができない。従って、基地局にとって、中継の最適なスケジュールを決定することは容易ではない。そこで、基地局が中継局に中継のためのスケジューリング等の制御の権限を付与することが有益である。但し、データトラフィックの量は時々刻々と変化するため、周波数リソースの利用効率の観点から、権限の付与は永続的にではなく時間を限って動的に行われることが望ましい。
【課題を解決するための手段】
【０００６】
本開示によれば、周波数分割複信方式で運用される無線通信システムに割当てられた周波数リソースのうち、トラフィックを中継するために利用することを許可される中継向けリソースを特定する許可情報を、前記無線通信システムの基地局から受信する通信部と、前記許可情報に関連付られる期間において、前記中継向けリソース上で時間分割複信方式で前記トラフィックを中継する中継制御部と、を備える通信制御装置が提供される。【０００７】
また、本開示によれば、無線通信システムに割当てられた周波数リソース上で、周波数分割複信方式で前記無線通信システムを運用する通信制御部と、前記周波数リソースのうちトラフィックを中継するために利用することを許可する中継向けリソースを決定し、中継を許可する期間に関連付けられる許可情報を生成する中継制御部と、生成された前記許可情報を送信する通信部と、を備える通信制御装置が提供される。【０００８】
また、本開示によれば、周波数分割複信方式で運用される無線通信システムに割当てられた周波数リソースのうち、トラフィックを中継するために利用することを許可される中継向けリソースを特定する許可情報を、前記無線通信システムの基地局から受信することと、前記許可情報に関連付られる期間において、前記中継向けリソース上で時間分割複信方式で前記トラフィックを中継することと、を含む通信制御方法が提供される。【０００９】
また、本開示によれば、無線通信システムに割当てられた周波数リソース上で、周波数分割複信方式で前記無線通信システムを運用することと、前記周波数リソースのうちトラフィックを中継するために利用することを許可する中継向けリソースを決定することと、前記中継向けリソースを特定する許可情報であって、中継を許可する期間に関連付けられる当該許可情報を生成することと、生成された前記許可情報を前記トラフィックを中継する装置へ送信することと、を含む通信制御方法が提供される。
【発明の効果】
【００１０】
本開示に係る技術によれば、周波数リソースの利用効率の観点で効果的な中継の仕組みを実現することができる。
【図面の簡単な説明】
【００１１】
【図１】一実施形態に係る通信制御システムの概要について説明するための説明図である。
【図２】キャリアアグリゲーションの一例について説明するための説明図である。
【図３】ダウンリンクフレームフォーマットの一例について説明するための説明図である。
【図４】アップリンクフレームフォーマットの一例について説明するための説明図である。
【図５】一実施形態に係る基地局の構成の一例を示すブロック図である。
【図６Ａ】基地局から送信される許可情報の第１の例について説明するための説明図である。
【図６Ｂ】基地局から送信される許可情報の第２の例について説明するための説明図である。
【図７】一実施形態に係る基地局による通信制御処理の流れの一例を示すフローチャートである。
【図８】一実施形態に係る中継局の構成の一例を示すブロック図である。
【図９】図８に示した無線通信部の詳細な構成の一例を示すブロック図である。
【図１０】中継局によるトラフィックの中継について説明するための図である。
【図１１】一実施形態に係る中継局による通信制御処理の流れの一例を示すフローチャートである。
【図１２】一実施形態に係る端末装置の構成の一例を示すブロック図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
また、以下の順序で説明を行う。
１．本開示に係る技術の概要
１−１．システムの概要
１−２．リソースの構成例
１−３．課題の説明
２．基地局の構成
２−１．装置の構成例
２−２．処理の流れの例
３．中継局の構成
３−１．装置の構成例
３−２．処理の流れの例
４．端末の構成
５．まとめ
【００１４】
＜１．本開示に係る技術の概要＞
［１−１．システムの概要］
図１は、本開示に係る技術の一実施形態に係る通信制御システム１の概要について説明するための説明図である。図１を参照すると、通信制御システム１は、基地局１００、中継局２００、並びに端末装置３００ａ、３００ｂ及び３００ｃを含む。
【００１５】
基地局１００は、無線通信システムに割当てられた（例えば、法的に認可され、又は使用権限を与えられた）周波数リソース上で無線通信システムを運用する通信制御装置である。基地局１００は、セル１０の内部に位置する端末装置との間で、周波数分割複信（ＦＤＤ）方式で無線信号を送信し及び受信する。端末装置から基地局１００への無線信号の送信のために使用される周波数リソースをアップリンクリソースといい、基地局１００から端末装置への無線信号の送信のために使用される周波数リソースをダウンリンクリソースという。基地局１００は、例えば、ＬＴＥ−Ａ（Long  Term  Evolution-Advanced）方式のｅＮＢ（evolved  Node  B）として動作してよい。その代わりに、基地局１００は、Ｗ−ＣＤＭＡ（Wideband-Code  Division  Multiple  Access）などのその他の種類のセルラ通信方式に従って動作してもよい。基地局１００は、コアネットワーク１２に接続される。
【００１６】
中継局２００は、周波数リソースを中継のために利用することが許可された場合に、許可された周波数リソース上でトラフィックを中継する通信制御装置である。中継局２００は、基地局１００からの電波の弱い地点に位置する端末装置との間で、時分割複信（ＴＤＤ）方式で無線信号を送信し及び受信する。中継局２００は、基地局１００との間の通信リンクを有する。中継局２００は、インターネット１４と接続されてもよい。
【００１７】
端末装置３００ａ、３００ｂ及び３００ｃは、無線通信端末である。図１の例では、端末装置３００ａは、障害物１６の陰に位置しているために、基地局１００からの無線信号を良好に受信することができない。また、端末装置３００ｂは、セル１０のエッジ付近に位置しているために、基地局１００からの無線信号を良好に受信することができない。そこで、中継局２００は、中継を許可された周波数リソース（以下、中継向けリソースという）上で、基地局１００と端末装置３００ａ及び３００ｂとの間で、エアインタフェースを介してトラフィックを中継する。本実施形態において、中継は、ＴＤＤ方式で行われる。即ち、中継局２００は、あるタイミングで無線信号を端末へ送信し、別のタイミングで無線信号を端末から受信する。端末装置３００ｃは、基地局１００からの無線信号を良好に受信できる地点に位置しているため、基地局１００との間で直接的に通信する。なお、本明細書において、端末装置３００ａ、３００ｂ及び３００ｃを互いに区別する必要がない場合には、符号の末尾のアルファベットを省略することにより、これらを端末装置３００と総称する。他の構成要素についても同様とする。
【００１８】
中継局２００は、トラフィックを中継するための専用の装置であってもよく、又は中継機能及び他の機能を有する汎用的な装置などであってもよい。端末装置３００は、例えばスマートフォン、ＰＣ（Personal  Computer）、ＰＤＡ（Personal  Digital  Assistants）、ＰＮＤ（Portable  Navigation  Device）又はゲーム端末などの任意の種類の無線通信端末であってよい。中継局２００もまた同様である。端末装置３００は、ＦＤＤ方式及びＴＤＤ方式の双方で動作可能なデュアルモード端末であってもよい。
【００１９】
［１−２．リソースの構成例］
次に、図２〜図４を用いて、リソース構成の一例を説明する。本開示に係る技術は、典型的には、周波数及び時間によって個々のリソースが特定されるリソース構成を前提とする。ＦＤＤ方式で運用されるセルのリソースは、周波数領域において、アップリンクリソース及びダウンリンクリソースに分割される。アップリンクリソース及びダウンリンクリソースは、さらに、より小さい単位の周波数リソースに分割され得る。そして、１つ以上の単位の周波数リソースが、中継向けリソースとして選択され得る。
【００２０】
一例として、ＬＴＥ−Ａ方式では、キャリアアグリゲーション技術によって、セルのアップリンクリソース及びダウンリンクリソースを、それぞれ複数のコンポーネントキャリアを統合することにより構成することができる。同時に使用可能なコンポーネントキャリアが多いほどデータレートは高くなるが、いくつのコンポーネントキャリアを使用可能であるかはデバイスのケイパビリティに依存する。図２は、キャリアアグリゲーションの一例について説明するための説明図である。図２を参照すると、４つのコンポーネントキャリアＣＣ＿Ｕ１、ＣＣ＿Ｕ２、ＣＣ＿Ｄ１及びＣＣ＿Ｄ２が示されている。コンポーネントキャリアＣＣ＿Ｕ１は、１９２０ＭＨｚ〜１９４０ＭＨｚの帯域を占めるアップリンクリソース（アップリンクＣＣ）である。コンポーネントキャリアＣＣ＿Ｕ２は、１９４０ＭＨｚ〜１９６０ＭＨｚの帯域を占めるアップリンクリソース（アップリンクＣＣ）である。コンポーネントキャリアＣＣ＿Ｄ１は、２１１０ＭＨｚ〜２１３０ＭＨｚの帯域を占めるダウンリンクリソース（ダウンリンクＣＣ）である。コンポーネントキャリアＣＣ＿Ｄ２は、２１３０ＭＨｚ〜２１５０ＭＨｚの帯域を占めるダウンリンクリソース（ダウンリンクＣＣ）である。このうち、例えば、コンポーネントキャリアＣＣ＿Ｕ１及びＣＣ＿Ｄ１がペアリングされると、コンポーネントキャリアＣＣ＿Ｕ１上でのアップリンク送信のための許可（grant）は、コンポーネントキャリアＣＣ＿Ｄ１上で基地局からブロードキャストされる。同様に、コンポーネントキャリアＣＣ＿Ｕ２及びＣＣ＿Ｄ２がペアリングされると、コンポーネントキャリアＣＣ＿Ｕ２上でのアップリンク送信のための許可は、コンポーネントキャリアＣＣ＿Ｄ２上で基地局からブロードキャストされる。
【００２１】
図３は、ＬＴＥ−Ａ方式におけるダウンリンクフレームフォーマットの一例について説明するための説明図である。図３を参照すると、１０ｍｓの時間長を有する１つの無線フレーム（Radio  Frame）が示されている。１つの無線フレームは、それぞれ１ｍｓの時間長を有する１０個のサブフレーム＃０〜＃９から構成される。各サブフレームは、それぞれ０．５ｍｓの時間長を有する２つの時間スロットから構成される。１つの時間スロットは、時間領域において、７つ（拡張サイクリックプレフィクスが使用される場合には６つ）のＯＦＤＭシンボルを含む。トラフィックのスケジューリング（ダウンリンク割当て）は、リソースブロックの単位で行われる。各リソースブロックは、時間領域で１つの時間スロット、周波数領域で１２本のサブキャリアを有する。リソースエレメントは、１つのＯＦＤＭシンボル及び１本のサブキャリアにより特定される、リソースブロックよりも小さい単位である。
【００２２】
０番目のダウンリンクサブフレーム（＃０）及び５番目のダウンリンクサブフレーム（＃５）の前半の時間スロットには、プライマリ同期信号（ＰＳＳ）及びセカンダリ同期信号（ＳＳＳ）が挿入される。ＰＳＳ及びＳＳＳは、端末により、セルに同期し及び個々のセルを識別するために使用される。ＰＳＳ及びＳＳＳの周波数位置は、帯域幅によらず、周波数チャネルの中央に固定される。０番目のダウンリンクサブフレームのＰＳＳの後には、物理ブロードキャストチャネル（ＰＢＣＨ）が配置される。静的なシステム情報を含むＭＩＢ（Master  Information  Block）は、ＰＢＣＨにマッピングされるブロードキャストチャネル（ＢＣＨ）上で搬送される。ＭＩＢは、例えば、ダウンリンク帯域幅、基地局の送信アンテナ数及び制御情報構造などの情報を含む。一方、動的なシステム情報を搬送するＳＩＢ（System  Information  Block）は、物理ダウンリンク共有チャネル（ＰＤＳＣＨ）にマッピングされるダウンリンク共有チャネル（ＤＬ−ＳＣＨ）上で搬送される。ＳＩＢは、アップリンク帯域幅、ランダムアクセス用パラメータ、電力制御パラメータ及び隣接セル情報などの情報を含む。各リソースブロック内のいくつかのリソースエレメントには、端末がチャネル品質を測定する際に使用されるリファレンス信号が配置される。リファレンス信号の位置は、セルごとにシフトされ得る。スケジューリング情報は、物理ダウンリンク制御チャネル（ＰＤＣＣＨ）上で搬送される。スケジューリング情報は、各端末に関連付けられる識別情報（例えば、ＲＮＴＩ（Radio  Network  Temporary  Identifier））を用いてスクランブルされたダウンリンク割当て（downlink  assignment）を含む。各端末は、自らに関連付けられる識別情報を用いてスケジューリング情報をデスクランブルし、自らを対象とするダウンリンク割当てを取得することができる。
【００２３】
図４は、ＬＴＥ−Ａ方式におけるアップリンクフレームフォーマットの一例について説明するための説明図である。アップリンクにおいても、１つの無線フレームは、それぞれ１ｍｓの時間長を有する１０個のサブフレーム＃０〜＃９から構成される。各サブフレームは、それぞれ０．５ｍｓの時間長を有する２つの時間スロットから構成される。１つの時間スロットは、時間領域において、７つ又は６つのＳＣ−ＦＤＭＡシンボルを含む。トラフィックのスケジューリング（アップリンク許可）は、リソースブロックの単位で行われる。アップリンク許可（uplink  grant）は、通常、許可されるアップリンクサブフレームの４つ前のダウンリンクサブフレームのＰＤＣＣＨ上のスケジューリング情報により示される。アップリンク許可もまた、ダウンリンク割当てと同様、各端末に関連付けられる識別情報を用いてスクランブルされ得る。各リソースブロックの４番目のシンボルには、アップリンクのリファレンス信号が配置される。
【００２４】
［１−３．課題の説明］
周波数リソースの一部を利用して中継局にトラフィックを中継させる場合、基地局は、中継向けリソースとしてアップリンクリソースを選択することにより、中継信号に起因する干渉の抑制を容易にすることができる。なぜならば、アップリンクリソース上で発生する干渉は、基地局におけるアップリンク信号の受信品質にのみ影響を与えるためである。また、ＬＴＥ−Ａ方式のｅＮＢは、キャリアアグリゲーションをサポートしない端末との後方互換性を確保するために、コンポーネントキャリアごとに通信を制御する仕組みを有する。従って、コンポーネントキャリア単位で中継の制御の権限が付与されるとすれば、既存の仕組みを大きく改変することなく、動的な権限付与を比較的簡易に実現することができる。そこで、本実施形態では、基地局１００は、アップリンクＣＣをコンポーネントキャリア単位で中継向けリソースとして選択するものとする。なお、他の実施形態では、ダウンリンクリソースが中継向けリソースとして選択されてもよい。また、コンポーネントキャリア以外の単位で、中継向けリソースが選択されてもよい。
【００２５】
＜２．基地局の構成＞
次に、図５〜図７を用いて、基地局１００について説明する。
【００２６】
［２−１．装置の構成例］
図５は、一実施形態に係る基地局１００の構成の一例を示すブロック図である。図５を参照すると、基地局１００は、無線通信部１１０、ネットワーク通信部１４０、記憶部１５０及び制御部１６０を備える。
【００２７】
（１）無線通信部
無線通信部１１０は、ＦＤＤ方式で動作する無線通信インタフェースである。無線通信部１１０は、基地局１００に接続する端末装置３００との間で、ダウンリンクリソース上でダウンリンク信号を送信し、アップリンクリソース上でアップリンク信号を受信する。また、本実施形態において、無線通信部１１０は、中継向けリソースを特定する許可情報を送信する。許可情報は、中継を許可される期間（以下、中継期間という）に関連付けられる。無線通信部１１０は、例えば、ダウンリンクリソース（例えば、中継のために開放されるアップリンクＣＣとペアリングされるダウンリンクＣＣ）上で、スケジューリング情報又はシステム情報の一部として許可情報をブロードキャストしてもよい。それにより、許可情報のための専用のチャネルを設けることなく、セル１０内に位置する装置へ許可情報を通知することができる。
【００２８】
また、無線通信部１１０は、許可情報を復号する装置のために共通的に定義される識別情報を用いて、ブロードキャストすべき許可情報をスクランブルしてもよい。この場合、通常のスケジューリング情報を取得する動作と同様にして各装置が許可情報を取得することが可能となる。中継に関与しない装置は、許可情報の存在を意識しなくてよい。従って、既存のスケジューリング情報の枠組みを維持したままで許可情報を通知することができる。
【００２９】
（２）ネットワーク通信部
ネットワーク通信部１４０は、図１に例示したコアネットワーク１２と接続される通信インタフェースである。ネットワーク通信部１４０は、無線通信部１１０により受信されるアップリンク信号に含まれる通信パケットを、コアネットワーク１２へ転送する。また、ネットワーク通信部１４０は、ダウンリンク信号を用いて送信されるべき通信パケットをコアネットワーク１２から受信する。また、ネットワーク通信部１４０は、コアネットワーク１２上の制御ノード（例えば、ＭＭＥ（Mobility  Management  Entity）など）との間で（例えば、Ｓ１インタフェースを介して）制御シグナリングを交換する。また、ネットワーク通信部１４０は、隣接セルの基地局との間で（例えば、Ｘ２インタフェースを介して）制御シグナリングを交換する。
【００３０】
（３）記憶部
記憶部１５０は、ハードディスク又は半導体メモリなどの記憶媒体を用いて、基地局１００の動作のためのプログラム及びデータを記憶する。
【００３１】
（４）制御部
制御部１６０は、ＣＰＵ（Central  Processing  Unit）又はＤＳＰ（Digital  Signal  Processor）などのプロセッサを用いて、基地局１００の動作全般を制御する。本実施形態において、制御部１６０は、通信制御部１６２及び中継制御部１６４を含む。
【００３２】
通信制御部１６２は、自らのシステムに割当てられた周波数リソース上で、ＦＤＤ方式で無線通信システムを運用する。図２の例では、１９２０〜１９６０ＭＨｚ及び２１１０〜２１５０ＭＨｚの周波数帯が割当てられている。通信制御部１６２は、これら周波数帯を、例えば４つのコンポーネントキャリアＣＣ＿Ｕ１、ＣＣ＿Ｕ２、ＣＣ＿Ｄ１及びＣＣ＿Ｄ２に分割し、コンポーネントキャリアＣＣ＿Ｕ１及びＣＣ＿Ｕ２をアップリンクＣＣとして、コンポーネントキャリアＣＣ＿Ｄ１及びＣＣ＿Ｄ２をダウンリンクＣＣとして用いることができる。
【００３３】
本実施形態において、通信制御部１６２は、スケジューラとしての機能を有する。通信制御部１６２は、例えば、基地局１００に直接接続している端末からの要求に応じて、アップリンクＣＣ上でのアップリンク送信を端末に許可する。また、通信制御部１６２は、端末宛てのトラフィックがコアネットワーク１２上のゲートウェイに到着すると、ダウンリンクＣＣ上でのダウンリンク送信を端末に割当てる。
【００３４】
中継制御部１６４は、無線通信システムに割当てられた周波数リソースのうち、トラフィックを中継するために利用することを許可する中継向けリソースを決定する。本実施形態において、中継向けリソースはアップリンクリソースに含まれる。一例として、中継向けリソースの許可は、周波数領域ではコンポーネントキャリア単位で、時間領域ではサブフレーム単位で与えられるものとする。なお、かかる例に限定されず、中継の許可は、その他の単位（例えば、無線フレーム単位）で与えられてもよい。
【００３５】
例えば、中継制御部１６４は、バッファシグナリングを通じて通信制御部１６２により把握されるトラフィック量から将来の周波数リソースの使用率を予測し、空いていると予測される期間についてアップリンクＣＣの中継を許可してもよい。また、中継制御部１６４は、セル１０内の過去の通信履歴に基づいて、トラフィック量の時間変動を予測してもよい。また、中継制御部１６４は、基地局１００に接続しているユーザ数（アクティブユーザ数）に基づいて中継を許可してもよい。通信制御部１６２及び中継制御部１６４が連携し、中継を許可すると決定されたコンポーネントキャリアについて、中継期間内の通信のスケジューリングが通信制御部１６２により控えられてもよい。そして、中継制御部１６４は、中継期間に関連付けられる許可情報を生成する。中継制御部１６４により生成された許可情報は、無線通信部１１０によりスクランブルされた後、ダウンリンクＣＣ上でブロードキャストされる。
【００３６】
図６Ａ及び図６Ｂは、基地局１００から送信される許可情報の例について説明するための説明図である。図６Ａの上段を参照すると、基地局１００による運用される４つのコンポーネントキャリアのうちのコンポーネントキャリアＣＣ＿Ｄ２において、サブフレームＳＤ０１〜ＳＤ０５に許可情報が挿入されている。これら許可情報は、例えば、中継向けリソースとして、コンポーネントキャリアＣＣ＿Ｕ２を特定する。周波数領域における中継向けリソースの位置は、各コンポーネントキャリアに予め付与される番号を用いて特定されてもよい。また、許可情報は、中継を許可される期間に関連付けられる。許可情報は、中継が許可されるサブフレームを特定するパラメータ（例えば、無線フレームの番号及びサブフレームの番号、又は中継が許可されるサブフレームまでのサブフレーム数など）を明示的に含んでもよい。その代わりに、ｉ番目のサブフレームに挿入される許可情報が、ｉ＋ｎ番目のサブフレームについて中継が許可されることを暗黙的に示してもよい。
【００３７】
図６Ａの例では、許可情報は、当該許可情報が挿入されたサブフレームのｎ個先（ｎは予め定義される整数。例えば、ｎ＝８）のサブフレームについて中継が許可されることを暗黙的に示す。許可情報は、サブフレームＳＤ０１〜ＳＤ０５の各々においてコンポーネントキャリアＣＣ＿Ｄ２に挿入されている。従って、中継局２００は、サブフレームＳＵ０９〜ＳＵ１３の期間にわたって、コンポーネントキャリアＣＣ＿Ｕ２を中継向けリソースとして利用することができる。図６Ｂの例では、許可情報は、中継期間の開始サブフレームまでのサブフレーム数ｎと中継期間の期間長ｋとを明示的に含む（ｎ及びｋは動的に指定される）。許可情報は、ｉ番目のサブフレームＳＤ０１においてコンポーネントキャリアＣＣ＿Ｄ２に挿入されている。この場合、中継局２００は、（ｉ＋ｎ）番目のサブフレームＳＵ０９から（ｉ＋ｎ＋ｋ−１）番目のサブフレームＳＵ１３の期間にわたって、コンポーネントキャリアＣＣ＿Ｕ２を中継向けリソースとして利用することができる。
【００３８】
なお、中継制御部１６４は、セル間で通知されるセル間干渉制御（ＩＣＩＣ）用の標識に基づいて隣接セルへ干渉を与えるリスクがより低いと判定されるリソースを、中継向けリソースとして決定してもよい。ＩＣＩＣ（Inter-Cell  Interference  Coordination）用の標識とは、例えば、ＲＮＴＰＩ（Relative  Narrow  band  TX  Power  Indicator）、ＨＩＩ（High  Interference  Indicator）及びＯＩ（Overload  Indicator）のうち少なくとも１つを含む。
【００３９】
ＲＮＴＰＩは、当該ＲＮＴＰＩの送信側のセルにおいてセルエッジ付近の端末に割当てられた（比較的大きい送信電力が設定された）ダウンリンクのリソースブロックを特定する。中継制御部１６４は、隣接セルの基地局から受信したＲＮＴＰＩにより特定されているリソースブロックの割合の少ないコンポーネントキャリア（又は当該ＣＣとペアリングされたＣＣ）を、優先的に中継向けリソースとして決定してよい。それにより、中継されるトラフィックが隣接セルの多くのリソースブロックにおいて有害な干渉を生じさせることを回避することができる。
【００４０】
ＨＩＩは、当該ＨＩＩの送信側のセルにおいてセルエッジ付近の端末に割当てられたリソースブロックを特定する。ＯＩは、当該ＯＩの送信側のセルにおいて閾値を上回る干渉を受けているリソースブロックを特定する。中継制御部１６４は、隣接セルの基地局から受信したＨＩＩ又はＯＩにより特定されているリソースブロックの割合の少ないコンポーネントキャリア（又は当該ＣＣとペアリングされたＣＣ）を、優先的に中継向けリソースとして決定してよい。この場合にも、中継されるトラフィックが隣接セルの多くのリソースブロックにおいて有害な干渉を生じさせることを回避することができる。
【００４１】
また、中継制御部１６４は、自身のセルについて許可した中継向けリソースにおいて隣接セルとの干渉が抑制されるように、ＩＣＩＣ用の標識をネットワーク通信部１４０を介して隣接セルの基地局へ通知してもよい。即ち、既存のＩＣＩＣ用の標識が、中継に起因する干渉の抑制のために流用され得る。例えば、中継制御部１６４は、中継向けリソースに含まれるリソースブロックを特定するＨＩＩを、隣接セルの基地局へ送信し得る。それにより、中継されるトラフィックに起因する干渉を受ける可能性のあるリソースブロックが隣接セルにおいて使用されるリスクを低減することができる。
【００４２】
［２−２．処理の流れの例］
図７は、本実施形態に係る基地局１００による通信制御処理の流れの一例を示すフローチャートである。
【００４３】
図７を参照すると、まず、通信制御部１６２は、将来のいくつかのサブフレームにわたって想定される無線通信システムのトラフィック量を予測する（ステップＳ１１）。
【００４４】
次に、中継制御部１６４は、予測されるトラフィック量に基づいて、中継のために利用することを許可するコンポーネントキャリア及び期間を決定する（ステップＳ１２）。
【００４５】
次に、中継制御部１６４は、中継向けリソースを特定する許可情報であって、中継期間に関連付けられる当該許可情報を生成する（ステップＳ１３）。
【００４６】
次に、無線通信部１１０は、中継制御部１６４により生成された許可情報を、当該許可情報を復号する装置のために共通的に定義される識別情報でスクランブルする（ステップＳ１４）。
【００４７】
そして、無線通信部１１０は、ダウンリンクＣＣ上で許可情報をブロードキャストする（ステップＳ１５）。
【００４８】
＜３．中継局の構成＞
次に、図８〜図１１を用いて、中継局２００について説明する。
【００４９】
［３−１．装置の構成例］
図８は、一実施形態に係る中継局２００の構成の一例を示すブロック図である。図８を参照すると、中継局２００は、無線通信部２１０、ネットワーク通信部２４０、記憶部２５０及び制御部２６０を備える。
【００５０】
（１）無線通信部
無線通信部２１０は、ＦＤＤ方式及びＴＤＤ方式で動作する無線通信インタフェースである。無線通信部２１０は、ＦＤＤ方式で動作する基地局１００に接続し、基地局１００からダウンリンクリソース上で上述した許可情報を受信する。当該許可情報は、基地局１００の無線通信システムに割当てられた周波数リソースのうちの中継向けリソースを特定し、中継期間に関連付けられる。本実施形態において、中継向けリソースは、アップリンクリソースに含まれる。許可情報は、一例として、周波数領域においてコンポーネントキャリア単位で中継向けリソースを特定し、時間領域においてサブフレーム単位で決定される中継期間に明示的に又は暗黙的に関連付けられる。無線通信部２１０は、例えば、ダウンリンクリソース上で、スケジューリング情報又はシステム情報の一部として、許可情報を受信してよい。無線通信部２１０は、例えば、許可情報を復号する装置のために共通的に定義されるＲＮＴＩなどの識別情報を用いて、受信した許可情報を逆スクランブルする（当該識別情報を用いて復号に成功した情報が、許可情報である）。
【００５１】
また、無線通信部２１０は、許可情報により特定される中継向けリソース上で、基地局１００と直接通信することの困難な端末装置３００（例えば、図１に例示した端末装置３００ａ及び３００ｂ）のためにトラフィックを中継する。無線通信部２１０は、端末装置３００との間で、ＴＤＤ方式で無線信号を送信し及び受信する。この場合、中継向けリソースが周波数領域でアップリンクリソース及びダウンリンクリソースに分割されないため、ガードバンドを確保する必要性がなく、中継向けリソースを効率的に利用することができる。中継の制御は、ＴＤ−ＬＴＥ（Time  Division-Long  Term  Evolution）方式又はＷｉＭａｘ方式などの任意のＴＤＤベースの無線通信方式に従って行われてよい。
【００５２】
図９は、図８に示した無線通信部２１０の詳細な構成の一例を示すブロック図である。図９を参照すると、無線通信部２１０は、アンテナセクション２１１、第１受信セクション２１２、第１送信セクション２１４、第２受信セクション２１６、第２送信セクション２１８、ベースバンド処理部２２０及び中継バッファ２３０を有する。
【００５３】
アンテナセクション２１１は、２つの送受信アンテナ（ＡＮＴ）、フィルタ（ＦＩＬ）及びアンテナスイッチ（ＳＷ）を含む。図９の例に限定されず、アンテナセクション２１１は、より多くのアンテナを含んでもよい。
【００５４】
第１受信セクション２１２及び第２受信セクション２１６は、それぞれ、受信増幅器（ＡＭＰ）、バンドパスフィルタ（ＢＰＦ）及び直交復調器２２２、２２６を含む。直交復調器２２２、２２６は、周波数シンセサイザ（図示せず）により調整される受信周波数で受信信号を復調する。
【００５５】
ベースバンド処理部２２０は、第１受信セクション２１２及び第２受信セクション２１６において復調された受信信号の復号及び誤り訂正などを行う。また、ベースバンド処理部２２０は、予め定義される識別情報を用いて、基地局１００から受信される許可情報の逆スクランブルを試みる。そして、ベースバンド処理部２２０は、逆スクランブル及び復号に成功した許可情報を制御部２６０へ出力する。
【００５６】
第１送信セクション２１４及び第２送信セクション２１８は、それぞれ、直交変調器２２４、２２８、可変利得増幅器（ＶＧＡ）、バンドパスフィルタ（ＢＰＦ）、送信増幅器（ＡＭＰ）及びアイソレータ（ＩＳＯ）を含む。直交変調器２２４、２２８は、周波数シンセサイザ（図示せず）により調整される送信周波数で、ベースバンド処理部２２０により符号化される送信信号を変調する。
【００５７】
例えば、第１受信セクション２１２は、基地局１００からダウンリンク信号を受信するために使用され得る。第１送信セクション２１４は、基地局１００へアップリンク信号を送信するために使用され得る。第２受信セクション２１６は、中継先の端末装置３００から無線信号を受信するために使用され得る。第２送信セクション２１８は、中継先の端末装置３００へ無線信号を送信するために使用され得る。これらセクションのうちいくつかは、同時に動作可能であってよい。
【００５８】
中継バッファ２３０は、基地局１００から受信されたトラフィックが端末へ中継されるまでの間、復号済みの又は未復号のトラフィックをバッファリングする。また、中継バッファ２３０は、端末から受信されたトラフィックが基地局１００へ中継されるまでの間、復号済みの又は未復号のトラフィックをバッファリングする。
【００５９】
図９の例のように、基地局１００との間の通信リンクのための回路とは別に中継のための回路を有することにより、中継局２００は、中継期間の間にも基地局１００との同期を適切に維持し、基地局１００からの許可情報を継続的にモニタリングすることができる。
【００６０】
（２）ネットワーク通信部
ネットワーク通信部２４０は、図１に例示したインターネット１４と接続される通信インタフェースである。ネットワーク通信部２４０は、端末との間で送受信されるトラフィックを、インターネット１４を介して基地局１００へ中継してもよい。
【００６１】
（３）記憶部
記憶部２５０は、ハードディスク又は半導体メモリなどの記憶媒体を用いて、中継局２００の動作のためのプログラム及びデータを記憶する。
【００６２】
（４）制御部
制御部２６０は、ＣＰＵ又はＤＳＰなどのプロセッサを用いて、中継局２００の動作全般を制御する。本実施形態において、制御部２６０は、中継制御部２６２を含む。
【００６３】
中継制御部２６２は、無線通信部２１０のフレームタイミングを基地局１００のフレームタイミングと予め同期させ、基地局１００からのダウンリンクリソース上でブロードキャストされる許可情報を、無線通信部２１０にモニタリングさせる。そして、中継制御部２６２は、無線通信部２１０により許可情報が受信されると、許可情報により特定される中継向けリソース上で、許可情報に関連付られる中継期間において、ＴＤＤ方式でトラフィックを中継する。
【００６４】
図１０は、中継局２００によるトラフィックの中継について説明するための図である。図１０の例では、コンポーネントキャリアＣＣ＿Ｕ２のサブフレームＳＵ１からサブフレームＳＵ１２までの期間が中継期間として許可されている。
【００６５】
中継制御部２６２は、このような中継期間に、まず、何らかのアップリンク−ダウンリンク構成（ＵＬ−ＤＬ構成）を設定する。ＵＬ−ＤＬ構成とは、サブフレームごとのリンク方向のパターンをいう。図１０の例において、「Ｄ」とラベリングされたサブフレームのリンク方向はダウンリンクであり、当該サブフレームをダウンリンクサブフレームという。「Ｕ」とラベリングされたサブフレームのリンク方向はアップリンクであり、当該サブフレームをアップリンクサブフレームという。「Ｓ」とラベリングされたサブフレームは、スペシャルサブフレームである。スペシャルサブフレームは、ダウンリンクサブフレームからアップリンクサブフレームへの切替えのタイミングで、信号の伝播遅延を原因として端末においてダウンリンク信号の受信及びアップリンク信号の送信が時間的に重複することを防止するために挿入される。ＴＤ−ＬＴＥ方式では、１つの無線フレームについてのサブフレームごとのリンク方向のセットを表すＵＬ−ＤＬ構成として、７通りのＵＬ−ＤＬ構成が予め定義されている。中継制御部２６２は、そのような予め定義されているＵＬ−ＤＬ構成のうちの１つを中継期間に設定してもよい。
【００６６】
中継制御部２６２は、ＵＬ−ＤＬ構成を設定した後、所定のダウンリンクサブフレームにおいて同期信号（例えば、ＰＳＳ及びＳＳＳ）をブロードキャストする。図１０の例では、サブフレームＳＵ１において同期信号がブロードキャストされている。例えば、図１に例示した端末装置３００ａは、中継局２００からの当該同期信号を検出し、中継局２００と同期する。
【００６７】
その後、例えば、中継局２００は、（中継向けリソースではない）コンポーネントキャリアＣＣ＿Ｄ１のサブフレームＳＤ３において、端末装置３００ａ宛てのトラフィックを基地局１００から受信する。すると、中継局２００は、当該トラフィックの端末装置３００ａへの送信（即ち、中継）をスケジューリングし、スケジューリング情報を端末装置３００ａへ通知する。そして、中継局２００は、通知したスケジュールに従って、ダウンリンクサブフレーム（図１０の例ではサブフレームＳＵ６）において、一時的にバッファリングしておいたトラフィックを端末装置３００ａへ中継する。
【００６８】
また、例えば、中継局２００は、端末装置３００ａからのアップリンク送信の要求を受信すると、要求されたアップリンク送信をスケジューリングし、スケジューリング情報を端末装置３００ａへ通知する。そして、中継局２００は、通知したスケジュールに従って、アップリンクサブフレーム（図１０の例ではサブフレームＳＵ９）において、トラフィックを端末装置３００ａから受信する。ここで受信されるトラフィックは、一時的にバッファリングされ、例えば（中継向けリソースではない）コンポーネントキャリアＣＣ＿Ｕ１のサブフレームＳＵ１４において、中継局２００から基地局１００へ中継される。
【００６９】
［３−２．処理の流れの例］
図１１は、本実施形態に係る中継局２００による通信制御処理の流れの一例を示すフローチャートである。
【００７０】
図１１を参照すると、まず、中継制御部２６２は、無線通信部２１０のフレームタイミングを基地局１００のフレームタイミングと同期させる（ステップＳ２１）。次に、中継制御部２６２は、基地局１００からのダウンリンクリソース上でブロードキャストされる許可情報を、無線通信部２１０にモニタリングさせる（ステップＳ２２）。
【００７１】
無線通信部２１０により許可情報が受信されると（ステップＳ２３）、中継制御部２６２は、受信された許可情報により特定される中継向けリソース、及び当該許可情報に関連付けられる期間を認識する（ステップＳ２４）。許可情報のモニタリング及び許可情報が受信された場合の中継向けリソースの認識は、毎サブフレーム繰り返されてよい。
【００７２】
中継期間が到来すると（ステップＳ２５）、中継制御部２６２は、まず、中継期間にＵＬ−ＤＬ構成を設定する（ステップＳ２６）。また、中継制御部２６２は、中継を要する端末を検出する（ステップＳ２７）。中継制御部２６２は、例えば、端末からのアクセス要求を受信することにより中継を要する端末を検出してもよく、又は基地局１００との間のシグナリグを通じて中継を要する端末を検出してもよい。そして、中継制御部２６２は、中継を要する端末を検出すると、基地局１００と検出した端末との間で、ＴＤＤ方式でトラフィックを中継する（ステップＳ２８）。中継制御部２６２は、トラフィックの中継の制御を、中継期間が終了するまで継続する（ステップＳ２９）。
【００７３】
＜４．端末の構成＞
図１２は、本実施形態に係る端末装置３００の構成の一例を示すブロック図である。図１２を参照すると、端末装置３００は、無線通信部３１０、記憶部３５０及び制御部３６０を備える。
【００７４】
（１）無線通信部
無線通信部３１０は、ＦＤＤ方式及びＴＤＤ方式で動作する無線通信インタフェースである。無線通信部３１０は、基地局１００との間の通信チャネルの品質が良好である場合には、基地局１００に接続する。また、無線通信部３１０は、基地局１００との間の通信チャネルの品質が劣悪であり又は基地局１００から無線信号を受信できない場合には、中継局２００を探索し、中継局２００に接続する。中継局２００に接続している間、無線通信部３１０は、ＴＤＤ方式で無線信号を送受信する。
【００７５】
（２）記憶部
記憶部３５０は、ハードディスク又は半導体メモリなどの記憶媒体を用いて、端末装置３００の動作のためのプログラム及びデータを記憶する。
【００７６】
（３）制御部
制御部３６０は、ＣＰＵ又はＤＳＰなどのプロセッサを用いて、端末装置３００の動作全般を制御する。本実施形態において、制御部３６０は、通信制御部３６２及びアプリケーション部３６４を含む。
【００７７】
通信制御部３６２は、基地局１００との間の通信チャネルの品質を無線通信部３１０に測定させる。測定された品質が良好であれば、通信制御部３６２は、無線通信部３１０を基地局１００と接続させる。一方、通信制御部３６２は、測定された品質が良好でない場合には、近傍の中継局２００を探索し、検出された中継局２００にトラフィックの中継を要求する。そして、通信制御部３６２は、無線通信部３１０のフレームタイミングを中継局２００に同期させ、中継局２００から受信されるＵＬ−ＤＬ構成及びスケジューリング情報に従って、無線通信部３１０にアップリンクトラフィックを送信させ、又は無線通信部３１０にダウンリンクトラフィックを受信させる。
【００７８】
アプリケーション部３６４は、上位レイヤのアプリケーションを実装する。アプリケーション部３６４は、他の装置へ送信されるべきデータトラフィックを生成し、生成したデータトラフィックを無線通信部３１０へ出力する。また、アプリケーション部３６４は、他の装置から無線通信部３１０により受信されるデータトラフィックを処理する。アプリケーション部３６４により実装されるアプリケーションは、コンテンツ再生、ソーシャルネットワーキング、ナビゲーション又はインターネットブラウジングなどのいかなる目的を有するアプリケーションであってもよい。
【００７９】
＜５．まとめ＞
ここまで、図１〜図１２を用いて、本開示に係る技術の実施形態について詳細に説明した。上述した実施形態によれば、ＦＤＤ方式で運用される無線通信システムに割当てられた周波数リソースのうちの中継向けリソースを特定する許可情報が、基地局から中継局に提供される。許可情報は、中継のために周波数リソースを利用することを許可される期間に関連付けられている。そして、許可情報に関連付られる期間において、中継向けリソース上でＴＤＤ方式でトラフィックが中継される。従って、トラフィック量が時々刻々と変化する近年の無線通信環境において、トラフィックを中継する中継局に中継の制御の権限を動的に付与して、周波数リソースの利用効率を維持し又は向上しながら、より多くの端末に通信機会を提供することができる。
【００８０】
また、上述した実施形態によれば、中継向けリソースは、無線通信システムのアップリンクリソースに含まれる。従って、ダウンリンクリソースが中継される場合と比較して、基地局側でより容易にトラフィックの中継に起因する干渉を制御することができる。また、中継向けリソースは、コンポーネントキャリア単位で特定される。従って、ＬＴＥ−Ａ方式の基地局のコンポーネントキャリアごとの通信制御の仕組みを活用することにより、中継期間の設定及び解除などの動的な制御をより少ないコストで実現することができる。
【００８１】
また、上述した実施形態によれば、許可情報は、無線通信システムのダウンリンクリソース上でスケジューリング情報又はシステム情報の一部としてブロードキャストされる。スケジューリング情報及びシステム情報は、通常、端末装置が随時モニタリングしている情報である。従って、かかる構成によれば、許可情報を通知するための専用のチャネルを追加的に設けることなく、中継局に許可情報をリアルタイムで提供することができる。また、許可情報は、トラフィックを中継しようとする装置のために共通的に定義される識別情報を用いてスクランブルされる。従って、既存のスケジューリング情報のシグナリングの枠組みを活用して許可情報を提供することができる。
【００８２】
また、上述した実施形態によれば、無線通信システムのセル間で通知されるセル間干渉制御用の標識に基づいて隣接セルへ干渉を与えるリスクがより低いと判定されるリソースが、中継向けリソースとして決定される。従って、中継向けリソースの動的な決定に伴う干渉のリスクが最小化されるように、中継向けリソースを決定することができる。
【００８３】
なお、本明細書において説明した各装置による一連の制御処理は、ソフトウェア、ハードウェア、及びソフトウェアとハードウェアとの組合せのいずれを用いて実現されてもよい。ソフトウェアを構成するプログラムは、例えば、各装置の内部又は外部に設けられる記憶媒体に予め格納される。そして、各プログラムは、例えば、実行時にＲＡＭ（Random  Access  Memory）に読み込まれ、ＣＰＵなどのプロセッサにより実行される。
【００８４】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００８５】
なお、以下のような構成も本開示の技術的範囲に属する。
（１）
周波数分割複信方式で運用される無線通信システムに割当てられた周波数リソースのうち、トラフィックを中継するために利用することを許可される中継向けリソースを特定する許可情報を、前記無線通信システムの基地局から受信する通信部と、
前記許可情報に関連付られる期間において、前記中継向けリソース上で時間分割複信方式で前記トラフィックを中継する中継制御部と、
を備える通信制御装置。
（２）
前記中継向けリソースは、前記無線通信システムのアップリンクリソースに含まれる、前記（１）に記載の通信制御装置。
（３）
前記無線通信システムは、複数のコンポーネントキャリアを用いて運用されるシステムであり、
前記許可情報は、前記中継向けリソースをコンポーネントキャリア単位で特定する、
前記（１）又は前記（２）に記載の通信制御装置。
（４）
前記通信部は、前記無線通信システムのダウンリンクリソース上でスケジューリング情報又はシステム情報の一部として前記許可情報を受信する、前記（１）〜（３）のいずれか１項に記載の通信制御装置。
（５）
前記通信部は、前記許可情報を復号する装置のために共通的に定義される識別情報を用いて、前記許可情報を逆スクランブルする、前記（１）〜（４）のいずれか１項に記載の通信制御装置。
（６）
前記中継制御部は、前記トラフィックを中継するためのフレームタイミングを前記無線通信システムのフレームタイミングと同期させる、前記（１）〜（５）のいずれか１項に記載の通信制御装置。
（７）
前記通信制御装置は、前記無線通信システムに接続するユーザ端末である、前記（１）〜（６）のいずれか１項に記載の通信制御装置。
（８）
無線通信システムに割当てられた周波数リソース上で、周波数分割複信方式で前記無線通信システムを運用する通信制御部と、
前記周波数リソースのうちトラフィックを中継するために利用することを許可する中継向けリソースを決定し、中継を許可する期間に関連付けられる許可情報を生成する中継制御部と、
生成された前記許可情報を送信する通信部と、
を備える通信制御装置。
（９）
前記中継向けリソースは、前記無線通信システムのアップリンクリソースに含まれる、前記（８）に記載の通信制御装置。
（１０）
前記通信制御部は、複数のコンポーネントキャリアを用いて前記無線通信システムを運用し、
前記中継制御部は、前記中継向けリソースをコンポーネントキャリア単位で決定する、
前記（８）又は前記（９）に記載の通信制御装置。
（１１）
前記通信部は、ダウンリンクリソース上でスケジューリング情報又はシステム情報の一部として前記許可情報をブロードキャストする、前記（８）〜（１０）のいずれか１項に記載の通信制御装置。
（１２）
前記中継制御部は、前記無線通信システムのセル間で通知されるセル間干渉制御用の標識に基づいて隣接セルへ干渉を与えるリスクがより低いと判定されるリソースを、前記中継向けリソースとして決定する、前記（８）〜（１１）のいずれか１項に記載の通信制御装置。
（１３）
前記標識は、ＲＮＴＰＩ（Relative  Narrow  band  TX  Power  Indicator）、ＨＩＩ（High  Interference  Indicator）及びＯＩ（Overload  Indicator）のうち少なくとも１つを含む、前記（１２）に記載の通信制御装置。
（１４）
前記中継制御部は、第１のセルについて許可された前記中継向けリソースにおいて前記第１のセルに隣接する第２のセルとの干渉が抑制されるように、セル間干渉制御用の標識を前記第２のセルの基地局へ通知する、前記（８）〜（１１）のいずれか１項に記載の通信制御装置。
（１５）
前記通信部は、前記許可情報を復号する装置のために共通的に定義される識別情報を用いて、前記許可情報をスクランブルする、前記（８）〜（１４）のいずれか１項に記載の通信制御装置。
（１６）
周波数分割複信方式で運用される無線通信システムに割当てられた周波数リソースのうち、トラフィックを中継するために利用することを許可される中継向けリソースを特定する許可情報を、前記無線通信システムの基地局から受信することと、
前記許可情報に関連付られる期間において、前記中継向けリソース上で時間分割複信方式で前記トラフィックを中継することと、
を含む通信制御方法。
（１７）
無線通信システムに割当てられた周波数リソース上で、周波数分割複信方式で前記無線通信システムを運用することと、
前記周波数リソースのうちトラフィックを中継するために利用することを許可する中継向けリソースを決定することと、
前記中継向けリソースを特定する許可情報であって、中継を許可する期間に関連付けられる当該許可情報を生成することと、
生成された前記許可情報を前記トラフィックを中継する装置へ送信することと、
を含む通信制御方法。
【符号の説明】
【００８６】
１        通信制御システム
１００    通信制御装置（基地局）
１１０    無線通信部
１６２    通信制御部
１６４    中継制御部
２００    通信制御装置（中継局）
２１０    無線通信部
２６２    中継制御部
３００    端末装置
【図１】
2014027496.tif 000003
【図２】
2014027496.tif 000004
【図３】
2014027496.tif 000005
【図４】
2014027496.tif 000006
【図５】
2014027496.tif 000007
【図６Ａ】
2014027496.tif 000008
【図６Ｂ】
2014027496.tif 000009
【図７】
2014027496.tif 000010
【図８】
2014027496.tif 000011
【図９】
2014027496.tif 000012
【図１０】
2014027496.tif 000013
【図１１】
2014027496.tif 000014
【図１２】
2014027496.tif 000015
【手続補正書】
【提出日】平成28年5月13日(2016.5.13)
【手続補正１】
【補正対象書類名】特許請求の範囲
【補正対象項目名】全文
【補正方法】変更
【補正の内容】
【特許請求の範囲】
【請求項１】
周波数分割複信方式で運用される無線通信システムに割当てられた周波数リソースのうち、トラフィックを中継するために利用することを許可される中継向けリソースを特定する許可情報を、前記無線通信システムの基地局から受信する通信部と、
前記許可情報に関連付けられる期間において、前記中継向けリソース上で時間分割複信方式で前記トラフィックを中継する中継制御部と、
を備える通信制御装置。
【請求項２】
前記中継向けリソースは、前記無線通信システムのアップリンクリソースに含まれる、請求項１に記載の通信制御装置。
【請求項３】
前記無線通信システムは、複数のコンポーネントキャリアを用いて運用されるシステムであり、
前記許可情報は、前記中継向けリソースをコンポーネントキャリア単位で特定する、
請求項１又は請求項２に記載の通信制御装置。
【請求項４】
前記通信部は、前記無線通信システムのダウンリンクリソース上でスケジューリング情報又はシステム情報の一部として前記許可情報を受信する、請求項１〜３のいずれか１項に記載の通信制御装置。
【請求項５】
前記通信部は、前記許可情報を復号する装置のために共通的に定義される識別情報を用いて、前記許可情報を逆スクランブルする、請求項１〜４のいずれか１項に記載の通信制御装置。
【請求項６】
前記中継制御部は、前記トラフィックを中継するためのフレームタイミングを前記無線通信システムのフレームタイミングと同期させる、請求項１〜５のいずれか１項に記載の通信制御装置。
【請求項７】
前記通信制御装置は、前記無線通信システムに接続するユーザ端末である、請求項１〜６のいずれか１項に記載の通信制御装置。
【請求項８】
無線通信システムに割当てられた周波数リソース上で、周波数分割複信方式で前記無線通信システムを運用する通信制御部と、
前記周波数リソースのうちトラフィックを中継するために利用することを許可する中継向けリソースを決定し、中継を許可する期間に関連付けられる許可情報を生成する中継制御部と、
生成された前記許可情報を送信する通信部と、
を備える通信制御装置。
【請求項９】
前記中継向けリソースは、前記無線通信システムのアップリンクリソースに含まれる、請求項８に記載の通信制御装置。
【請求項１０】
前記通信制御部は、複数のコンポーネントキャリアを用いて前記無線通信システムを運用し、
前記中継制御部は、前記中継向けリソースをコンポーネントキャリア単位で決定する、
請求項８又は請求項９に記載の通信制御装置。
【請求項１１】
前記通信部は、ダウンリンクリソース上でスケジューリング情報又はシステム情報の一部として前記許可情報をブロードキャストする、請求項８〜１０のいずれか１項に記載の通信制御装置。
【請求項１２】
前記中継制御部は、前記無線通信システムのセル間で通知されるセル間干渉制御用の標識に基づいて隣接セルへ干渉を与えるリスクがより低いと判定されるリソースを、前記中継向けリソースとして決定する、請求項８〜１１のいずれか１項に記載の通信制御装置。
【請求項１３】
前記標識は、ＲＮＴＰＩ（Relative  Narrow  band  TX  Power  Indicator）、ＨＩＩ（High  Interference  Indicator）及びＯＩ（Overload  Indicator）のうち少なくとも１つを含む、請求項１２に記載の通信制御装置。
【請求項１４】
前記中継制御部は、第１のセルについて許可された前記中継向けリソースにおいて前記第１のセルに隣接する第２のセルとの干渉が抑制されるように、セル間干渉制御用の標識を前記第２のセルの基地局へ通知する、請求項８〜１１のいずれか１項に記載の通信制御装置。
【請求項１５】
前記通信部は、前記許可情報を復号する装置のために共通的に定義される識別情報を用いて、前記許可情報をスクランブルする、請求項８〜１４のいずれか１項に記載の通信制御装置。
【請求項１６】
周波数分割複信方式で運用される無線通信システムに割当てられた周波数リソースのうち、トラフィックを中継するために利用することを許可される中継向けリソースを特定する許可情報を、前記無線通信システムの基地局から受信することと、
前記許可情報に関連付けられる期間において、前記中継向けリソース上で時間分割複信方式で前記トラフィックを中継することと、
を含む通信制御方法。
【請求項１７】
無線通信システムに割当てられた周波数リソース上で、周波数分割複信方式で前記無線通信システムを運用することと、
前記周波数リソースのうちトラフィックを中継するために利用することを許可する中継向けリソースを決定することと、
前記中継向けリソースを特定する許可情報であって、中継を許可する期間に関連付けられる当該許可情報を生成することと、
生成された前記許可情報を前記トラフィックを中継する装置へ送信することと、
を含む通信制御方法。
【国際調査報告】
2014027496.tif 000016
2014027496.tif 000017
2014027496.tif 000018
2014027496.tif 000019